(57)【要約】【課題】  鍵盤蓋を安定した状態で円滑に開閉できる鍵盤蓋開閉装置および鍵盤楽器を提供する。【解決手段】  楽器ケース１に設けられた鍵盤部７に対する前後方向の長さが互いに異なる前蓋１５と後蓋１６とが連結部材１７によって折り曲げ可能に連結されて、鍵盤部７を開閉可能に覆う鍵盤蓋１４と、後蓋１６の後端部を楽器ケース１に回転可能に支持し、鍵盤蓋１４が鍵盤部７を開放した際に、鍵盤蓋１４を山折に折り曲げて前蓋１５を鍵盤部７の後部上方に起立させる回転支点部１８と、前蓋１５の前端部を鍵盤部７の前後方向にガイドするガイド部１９と、を備えている。従って、鍵盤蓋１４を開閉する際に、後蓋１６の後端部を回転支点部１８で支持した状態で、この回転支点部１８を中心に後蓋１６を回転させることができるので、この後蓋１６の回転によって前蓋１５の前端部をガイド部１９でガイドしながら前蓋１５を起立横倒させることができる。【選択図】        図２
2015143841.tif 000002
【特許請求の範囲】
【請求項１】
鍵盤部と、
前記鍵盤部が設けられた楽器ケースと、
前蓋と後蓋とが連結部材によって折り曲げ可能に連結され、前記前蓋及び後蓋を折り曲げた状態で前記鍵盤部を開放する鍵盤蓋と、
前記鍵盤部の上方に設けられ、前記鍵盤部を開放する際に、前記後蓋の前端部を当該後蓋の後端部より上方にするとともに、当該後蓋を、開放する前と比べて前記鍵盤部の後部に位置させるように、前記後蓋の後端部を回転させる回転支点部と、
前記前蓋の前端部を前記回転支点部の下方へガイドすることにより、前記前蓋の後端部を当該前蓋の前端部よりを上方にするとともに、当該前蓋を、開放する前と比べて前記鍵盤部の後部に位置させることにより、前記鍵盤部を開放するガイド部と、
を備えている鍵盤楽器。
【請求項２】
請求項１に記載の鍵盤楽器において、前記回転支点部は、前記鍵盤部の後部上方に設けられ、前記鍵盤蓋が前記鍵盤部を開放した際に、前記後蓋の前端部を、当該後蓋の後端部より上方にして当該後蓋を前記鍵盤部の後部に対して起立させるように、前記後蓋の後端部を回転させる、鍵盤楽器。
【請求項３】
請求項１又は２に記載の鍵盤楽器において、前記ガイド部は、前記前蓋の後端部を当該前蓋の前端部よりを上方にして当該前蓋を前記鍵盤部の後部に対して起立させる、鍵盤楽器。
【請求項４】
請求項１に記載の鍵盤楽器において、前記楽器ケースは、底板と、前記底板の両側部に起立して設けられた一対の側板と、前記鍵盤部後端部上を覆うカバー板とを有する鍵盤楽器。
【請求項５】
請求項４に記載の鍵盤楽器において、前記ガイド部は、前記前蓋の前端下部に設けられたガイド突起部が挿入して前記鍵盤部の前後方向にガイドするために、前記一対の側板の各内面に設けられた溝部である鍵盤楽器。
【請求項６】
請求項５に記載の鍵盤楽器において、前記溝部は、前記鍵盤部の前端部から前記鍵盤部の上側に沿って前記カバー板の上方まで連続して設けられるとともに、当該カバー板側の端部は下降した形状を有する鍵盤楽器。
【請求項７】
請求項６に記載の鍵盤楽器において、前記鍵盤蓋が前記鍵盤部を開放した際に、起立した前記前蓋の後端部に対して、前記回転支点部により起立していく前記後蓋の前端部から加重が加えられることにより、前記ガイド突起部は、前記溝部の前記カバー板側の端部にて移動を停止する鍵盤楽器。
【請求項８】
請求項４に記載の鍵盤楽器において、前記回転支点部は、前記カバー板の上方でかつ前記一対の側板間に設けられた軸部と、前記後蓋の後端上部に設けられた筒状の軸受部とを備え、当該軸部が前記軸受部に挿入された状態で前記軸部を中心に前記後蓋が上下方向に回転するように構成される鍵盤楽器。
【請求項９】
請求項８に記載の鍵盤楽器において、前記前蓋は、その前後方向の長さが前記後蓋の前後方向の長さよりも長く形成されている鍵盤楽器。
【請求項１０】
請求項９に記載の鍵盤楽器において、前記回転支点部の軸部は、前記カバー板上方に設けられている前記溝部より高い位置に設けられている鍵盤楽器。
【請求項１１】
請求項１０に記載の鍵盤楽器において、前記回転支点部の軸部は、前記溝部より高い位置であって、前記鍵盤蓋が前記鍵盤部を開放した際に、前記溝部に挿入されているガイド突起部と接触しない位置に設けられている鍵盤楽器。
【請求項１２】
請求項１に記載の鍵盤楽器において、前記鍵盤部に対する押鍵に応答して楽音を発生させる信号を出力する回路部をさらに有する鍵盤楽器。
【請求項１３】
請求項１に記載の鍵盤楽器において、前記前蓋及び前記後蓋の前記鍵盤部側の面同士を近づけるように折り曲げる方向に付勢する付勢部材をさらに有する鍵盤楽器。
【請求項１４】
請求項１３に記載の鍵盤楽器において、前記鍵盤蓋が前記鍵盤部を覆って閉じる際に前記前蓋の前端部を弾力的に制動する第１の制動部と、前記鍵盤蓋が前記鍵盤部を開放して開く際に前記前蓋の前端部を弾力的に制動する第２の制動部と、を備えている鍵盤楽器。
【請求項１５】
請求項１３に記載の鍵盤楽器において、前記鍵盤蓋が前記鍵盤部を開放して開いた際に前記前蓋の前端部を係脱可能に係止するロック部を備えている鍵盤楽器。
【請求項１６】
請求項１に記載の鍵盤楽器において、前記前板の表面に譜面受け部を設けた鍵盤楽器。
【請求項１７】
鍵盤部が設けられた楽器ケースと、
前蓋と後蓋とが連結部材によって折り曲げ可能に連結され、前記前蓋及び後蓋を折り曲げた状態で前記鍵盤部を開放する鍵盤蓋と、
前記鍵盤部の上方に設けられ、前記鍵盤部を開放する際に、前記後蓋の前端部を当該後蓋の後端部より上方にするとともに、当該後蓋を、開放する前と比べて前記鍵盤部の後部に位置させるように、前記後蓋の後端部を回転させる回転支点部と、
前記前蓋の前端部を前記回転支点部の下方へガイドすることにより、前記前蓋の後端部を当該前蓋の前端部より上方にするとともに、して当該前蓋を、、開放する前と比べて前記鍵盤部の後部に位置させるようにして前記鍵盤部を開放するガイド部と、
を備えている鍵盤蓋開閉装置。
【請求項１８】
操作部が設けられたケースと、
前蓋と後蓋とが連結部材によって折り曲げ可能に連結され、前記前蓋及び後蓋を折り曲げた状態で前記操作部を開放する蓋と、
前記操作部の上方に設けられ、前記操作部を開放する際に、前記後蓋の前端部を当該後蓋の後端部より上方にするとともに、当該後蓋を、開放する前と比べて前記操作部の後部に位置させるように、前記後蓋の後端部を回転させる回転支点部と、
前記前蓋の前端部を前記回転支点部の下方へガイドすることにより、前記前蓋の後端部を当該前蓋の前端部より上方にするとともに、当該前蓋を、開放する前と比べて前記操作部の後部に位置させるようにして前記操作部を開放するガイド部と、
を備えている蓋開閉装置。
【発明の詳細な説明】
【技術分野】
【０００１】
この発明は、ピアノやオルガンなどの鍵盤楽器に用いられる鍵盤蓋開閉装置、それを備えた鍵盤楽器および蓋開閉装置に関する。
【背景技術】
【０００２】
例えば、電子ピアノなどの鍵盤楽器の鍵盤蓋開閉装置においては、特許文献１に記載されているように、楽器ケース内に設けられた鍵盤部を開閉可能に覆う鍵盤蓋を、互いに折り曲げ可能に順次連結された複数の板材で構成したものが知られている。
【先行技術文献】
【特許文献】
【０００３】
【特許文献１】特開２００７−１３３２４９号公報
【０００４】
このような鍵盤楽器の鍵盤蓋開閉装置は、鍵盤部を鍵盤蓋で覆って閉じる際に、複数の板材を前後方向に順次展開させることにより、複数の板材を鍵盤部の上側に順次並べて鍵盤部を覆い、また鍵盤蓋を開いて鍵盤部を開放させる際に、複数の板材を順次折り畳んで楽器ケース内に収納することにより、鍵盤部を開放するように構成されている。
【発明の概要】
【発明が解決しようとする課題】
【０００５】
しかしながら、このような鍵盤楽器の鍵盤蓋開閉装置では、複数の板材をすべて同じ大きさで形成しなければ、複数の板材を円滑に折り畳むことができないばかりか、複数の板材を鍵盤に対して起立させながら折り畳む際に、起立する複数の板材が安定した状態で起立せず、複数の板材の上部が前後方向に傾き易いため、複数の板材を折り畳む作業が面倒であるという問題がある。
【０００６】
この発明が解決しようとする課題は、鍵盤蓋を安定した状態で円滑に開閉することができる鍵盤蓋開閉装置、それを備えた鍵盤楽器および蓋開閉装置を提供することである。
【課題を解決するための手段】
【０００７】
この発明は、鍵盤部と、前記鍵盤部が設けられた楽器ケースと、前蓋と後蓋とが連結部材によって折り曲げ可能に連結され、前記前蓋及び後蓋の前端部を折り曲げない状態で前記鍵盤部を覆うとともに、折り曲げた状態で前記鍵盤部を開放する鍵盤蓋と、前記鍵盤部の上方に設けられ、前記鍵盤蓋が前記鍵盤部を開放した際に、前記後蓋の前端部を、当該後蓋の後端部より上方にするとともに、当該後蓋を前記鍵盤部の後部に位置させるように、前記後蓋の後端部を回転させる回転支点部と、前記鍵盤蓋が前記鍵盤部を開放した際に、前記前蓋の前端部を前記回転支点部下方へガイドすることにより、前記前蓋の後端部を、開放する前と比べて当該前蓋の前端部よりを上方にするとともに、当該前蓋を、開放する前と比べて前記鍵盤部の後部に位置させるガイド部と、を備えている鍵盤楽器である。
【発明の効果】
【０００８】
この発明によれば、鍵盤蓋を開閉する際に、後蓋の後端部を回転支点部で支持した状態で、この回転支点部を中心に後蓋を回転させることができるので、この後蓋の回転によって前蓋の前端部をガイド部でガイドしながら前蓋を鍵盤に対して起立横倒させることができる。このため、鍵盤部に対する前蓋と後蓋との前後方向の長さが互いに異なっていても、鍵盤蓋を安定した状態で円滑に開閉することができる。
【図面の簡単な説明】
【０００９】
【図１】この発明を鍵盤楽器に適用した第１実施形態において、鍵盤蓋を閉じて鍵盤部を覆った状態を示した断面図である。
【図２】図１に示された鍵盤楽器において、鍵盤蓋を山折に折り曲げて鍵盤部を開放した状態を示した断面図である。
【図３】この発明を鍵盤楽器に適用した第２実施形態において、鍵盤蓋を閉じて鍵盤部を覆う状態を示した要部の断面図である。
【図４】図３に示された鍵盤楽器において、鍵盤蓋を山折に折り曲げて鍵盤部を開放した状態を示した要部の断面図である。
【図５】図４に示された鍵盤楽器における第２の制動部とロック部とを示した要部の拡大図である。
【図６】この発明を鍵盤楽器に適用した第３実施形態において、鍵盤蓋を山折に折り曲げて鍵盤部を開放した状態における楽音の放音状態を示した断面図である。
【図７】図２に示された鍵盤楽器において、鍵盤蓋の前蓋表面に譜面立て部設けた状態を示した断面図である。
【図８】一対の側板それぞれに埋め込まれた鍵盤蓋支持部を示す斜視図である。
【発明を実施するための形態】
【００１０】
（第１実施形態）
以下、図１および図２を参照して、この発明を鍵盤楽器に適用した第１実施形態について説明する。
この鍵盤楽器は、図１および図２に示すように、楽器ケース１を備えている。
【００１１】
この楽器ケース１は、底板２と、この底板２の前端部（図１では左端部）に起立して設けられた前板３と、底板２の後端部（図１では右端部）に起立して設けられた後板４と、底板２の両側部（図１では紙面の表裏面側）に起立して設けられた一対の側板５と、後板４の上端部および一対の側板５の上端部に設けられた天板６とを備えている。この場合、前板３は、その高さが後板４の高さの半分以下の高さに形成されている。
【００１２】
また、一対の側板５は、図１および図２に示すように、前部側（図１では左側）が前板３の高さよりも少し高く形成され、後部側（図１では右側）が後板４と同じ高さに形成されている。これにより、一対の側板５は、前部側と後部側との境界部の上部側がほぼ垂直に下がる下り部５ａに形成にされ、この下り部５ａの下部が前端部に向けて前下がりに緩やかに傾斜する傾斜部５ｂに形成されている。
さらに本実施形態においては、この一対の側板５それぞれには、後述する鍵盤蓋１４を支持及びガイドする鍵盤蓋支持部５ｃが埋め込まれている。
【００１３】
天板６は、図１および図２に示すように、一対の側板５の後部側の上端部と後板４の上端部とに跨った状態で取り付けられている。これにより、楽器ケース１は、一対の側板５の前部側に位置する個所が上側に開放されたほぼ箱形状に形成されている。この場合、天板６の後部側には、放音蓋６ａが開閉可能に設けられている。この放音蓋６ａの下側には、補助天板９が設けられている。
【００１４】
この補助天板９は、図１および図２に示すように、その前端部が天板６の後端下部に取り付けられ、後端部が後板４の上部内面に取り付けられている。この補助天板９には、放音孔９ａが上下に貫通して設けられている。この場合、放音蓋６ａは、その後端部が蝶番６ｂによって後板４の上端部に回転可能に取り付けられ、この蝶番６ｂを中心に上下方向に回転して補助天板９の放音孔９ａを開閉するように構成されている。
【００１５】
一方、楽器ケース１内における前側部には、図１および図２に示すように、鍵盤部７が上方に露呈した状態で設けられている。鍵盤部７は、楽器ケース１の底板２上に設けられた鍵盤シャーシ７ａと、この鍵盤シャーシ７ａ上に並列に配列された複数の鍵８とを備えている。複数の鍵８は、白鍵８ａと黒鍵８ｂとを有し、その各後端部が鍵盤シャーシ７ａ上に上下方向に回転可能に取り付けられ、この状態で楽器ケース１の前側上方に露呈するように構成されている。
【００１６】
また、楽器ケース１内には、図１および図２に示すように、鍵盤部７の複数の鍵８にそれぞれアクション荷重を付与するアクション機構部１０が、鍵盤部７の後方に位置して設けられている。このアクション機構部１０は、鍵８が押鍵された際に、その押鍵された鍵８に対応するハンマー部材１０ａが回転することにより、鍵８にアクション荷重を付与するように構成されている。
【００１７】
すなわち、このアクション機構部１０は、図１および図２に示すように、鍵８にアクション荷重を付与することにより、アコースティックピアノの鍵タッチに近似した鍵タッチ感が得られるように構成されている。また、このアクション機構部１０は、ハンマー部材１０ａが回転して鍵８にアクション荷重を付与した際に、スイッチ動作するスイッチ回路部１１を備えている。このスイッチ回路部１１は、そのスイッチ動作によってスピーカ（この第１実施形態では図示せず）から楽音を発生させる電気信号を出力するように構成されている。
【００１８】
この場合、楽器ケース１内には、図１および図２に示すように、鍵盤部７とアクション機構部１０との間を仕切る仕切部材１２が設けられている。この仕切部材１２は、鍵盤部７の複数の鍵８の各後端部上を覆うカバー板１２ａと、このカバー板１２ａの後端部上にほぼ垂直に起立して設けられた上前板１２ｂとを有している。この上前板１２ｂは、天板の前端部から後部側に離れた位置に配置され、その上端部が天板６の下面に位置するように構成されている。
【００１９】
ところで、この楽器ケース１には、図１および図２に示すように、鍵盤部７を開閉可能に覆う鍵盤蓋開閉装置１３が設けられている。この鍵盤蓋開閉装置１３は、鍵盤部７を開閉可能に覆う鍵盤蓋１４を備えている。この鍵盤蓋１４は、鍵盤部７の前後方向における長さが互いに異なる前蓋１５と後蓋１６とを有し、これら前蓋１５と後蓋１６とが蝶番などの連結部材１７によって折り曲げ可能に連結された構成になっている。
【００２０】
すなわち、この鍵盤蓋１４は、図１および図２に示すように、前蓋１５と後蓋１６とが連結部材１７を中心に回転してほぼ平板状に展開した状態で、鍵盤部７の上側に配置されることにより、前蓋１５が鍵盤部７の前部側を覆い、後蓋１６が鍵盤部７の後部側を覆うように構成されている。この場合、前蓋１５は、その前後方向の長さが後蓋１６の前後方向の長さよりも長く形成されている。
【００２１】
また、この鍵盤蓋開閉装置１３は、図１、図２及び図８に示すように、後蓋１６の後端部を楽器ケース１に回転可能に支持する回転支点部１８と、前蓋１５の前端部を鍵盤部７の前後方向にガイドするガイド部１９と、を備えている。回転支点部１８は、ヒンジ部であり、仕切部材１２の上前板１２ｂの下部に位置した状態で、一対の側板５夫々に埋め込まれた鍵盤蓋支持部５ｃ間に設けられた軸部１８ａと、後蓋１６の後端上部に設けられた筒状の軸受部１８ｂとを備えている。
【００２２】
これにより、回転支点部１８は、図１、図２及び図３に示すように、一対の側板５夫々に埋め込まれた鍵盤蓋支持部５ｃ間に設けられた軸部１８ａが後蓋１６の軸受部１８ｂに挿入され、この状態で軸部１８ａを中心に後蓋１６が上下方向に回転するように構成されている。また、この回転支点部１８は、前蓋１５と後蓋１６とが連結部材１７で折れ曲がって鍵盤蓋１４が鍵盤部７を開放した際に、前蓋１５及び後蓋１６の鍵盤部７側の面同士を近づけるようにして鍵盤蓋１４を折り曲げて前蓋１５を鍵盤部７の後部上方に対して起立させるように構成されている。
【００２３】
また、ガイド部１９は、図１、図２および図８に示すように、前蓋１５の前端下部に設けられたガイド突起部１５ａが挿入して鍵盤部７の前後方向にガイドする溝であり、楽器ケース１における一対の側板５の各内面に設けられている。すなわち、このガイド部１９は、鍵盤部７の前端部から立ち上がり、鍵盤部７の上側に沿って鍵盤部７の後部でカバー板１２ａの上方まで連続して設けられている。そして、この溝のカバー板１２ａ側の端部は徐々に下降した形状をとなっている。
【００２４】
これにより、鍵盤蓋１４は、図１に示すように、前蓋１５と後蓋１６とが連結部材１７を中心に回転してほぼ平板状に展開した状態で鍵盤部７の上側に配置された際に、前蓋１５が前下がりに少し傾斜した状態で、前蓋１５のガイド突起部１５ａがガイド部１９の前端部に位置して支持されると共に、後蓋１６がほぼ水平な状態で、後蓋１６の後端部が回転支点部１８によって支持されるように構成されている。このため、鍵盤蓋１４は、前蓋１５と後蓋１６とが連結部材１７で少し折れ曲がった状態で鍵盤部７を覆うように構成されている。
【００２５】
また、この鍵盤蓋１４は、図２に示すように、前蓋１５と後蓋１６との鍵盤部７側の面同士が連結部材１７を中心に折れ曲がって互いに接近した状態で、鍵盤蓋１４が鍵盤部７を開放した際に、前蓋１５のガイド突起部１５ａがガイド部１９の後端部に位置して前蓋１５が鍵盤部７に対して直立に起立した状態で支持されると共に、後蓋１６の後端部が回転支点部１８によって支持されて後蓋１６が起立するように構成されている。このとき、起立した前蓋１５の後端部に対して、回転支点部１８により起立していく後蓋１６の前端部から加重が加えられることにより、ガイド突起部１５ａは、ガイド部１９のカバー板１２ａ側の端部にて移動を停止する。
【００２６】
次に、この鍵盤楽器における鍵盤蓋開閉装置１３の作用について説明する。
鍵盤蓋１４が鍵盤部７を覆って閉じた状態では、図１に示すように、後蓋１６の後端部が回転支点部１８を中心に反時計回りに回転して、後蓋１６が鍵盤部７の後部上側にほぼ水平な状態で配置されると共に、前蓋１５と後蓋１６とが連結部材１７を中心に回転してほぼ平板状に展開する。
【００２７】
このときには、図１に示すように、前蓋１５の前端部に設けられたガイド突起部１５ａが、ガイド部１９によってガイドされてガイド部１９の前端部に位置した状態で、ガイド部１９に支持されることにより、前蓋１５が鍵盤部７の前部上側に前下がりに少し傾斜した状態で配置される。
【００２８】
また、このときには、図１に示すように、後蓋１６の後端部が回転支点部１８に支持されていることにより、後蓋１６が鍵盤部７の後部上側にほぼ水平な状態で配置される。これにより、鍵盤蓋１４は、前蓋１５と後蓋１６とが連結部材１７で少し折れ曲がった状態で鍵盤部７の上側に配置される。この鍵盤蓋１４によって鍵盤部７が覆われる。
【００２９】
一方、鍵盤蓋１４を開いて鍵盤部７を開放する場合には、図１に示す状態で、前蓋１５の前端下部に手を掛けて前蓋１５を押し上げながら鍵盤部７の後方に向けて押す。このときには、前蓋１５のガイド突起部１５ａがガイド部１９に沿って鍵盤部７の後部側に向けて移動を開始すると共に、後蓋１６の後端部が回転支点部１８を中心に時計回りに回転を開始する。
【００３０】
この場合には、図１に示すように、前蓋１５と後蓋１６とが連結部材１７で少し山折に折れ曲がった状態で鍵盤部７の上側に配置されているため、前蓋１５のガイド突起部１５ａがガイド部１９に沿って鍵盤部７の後部側に向けて移動を開始すると、前蓋１５と後蓋１６とが連結部材１７を中心に回転して徐々に折れ曲がる。
【００３１】
そして、前蓋１５を更に鍵盤部７の後方に向けて押すと、前蓋１５のガイド突起部１５ａがガイド部１９に沿って鍵盤部７の後部側に向けて更に移動すると共に、後蓋１６の後端部が回転支点部１８を中心に時計回りに更に回転する。このため、前蓋１５と後蓋１６とが連結部材１７を中心に更に回転して更に折れ曲がる。これにより、前蓋１５の前端部と後蓋１６の後端部とが上方に向いて起立する。
【００３２】
この状態で、更に前蓋１５を鍵盤部７の後方に向けて押すと、図２に示すように、前蓋１５の下面（図２では右側面）が後蓋１６の下面（図２では左側面）に対面して接近し、前蓋１５のガイド突起部１５ａがガイド部１９の後端部に位置した状態で鍵盤部７に対して直立に起立すると共に、後蓋１６の後端部が回転支点部１８を中心に更に時計回りに回転して起立する。
【００３３】
このときには、図２に示すように、前蓋１５のガイド突起部１５ａがガイド部１９の後端部に支持されて、前蓋１５が鍵盤部７の後部上方に鍵盤部７に対してほぼ垂直な状態で起立する。これにより、前蓋１５の下面（図２では右側面）と後蓋１６の下面（図２では左側面）とが互いに対面して接近した状態で、鍵盤蓋１４が鍵盤部７の後端部上に折り曲げられて起立し、鍵盤部７を開放する。そして、起立した前蓋１５の後端部に対して、回転支点部１８により起立していく後蓋１６の前端部から加重が加えられることにより、ガイド突起部１５ａは、ガイド部１９のカバー板１２ａ側の端部にて移動を停止する。
【００３４】
このように鍵盤部７が開放された状態では、鍵盤部７の複数の鍵８を押鍵操作して演奏することができる。すなわち、鍵８を押鍵操作すると、アクション機構部１０のハンマー部材１０ａが回転して鍵８にアクション荷重を付与する。また、このときには、アクション機構部１０のスイッチ回路部１１がスイッチ動作して電気信号を出力し、このスイッチ回路部１１からの電気信号に基づいてスピーカ（図示せず）から楽音が放音される。
【００３５】
このように、この鍵盤楽器の鍵盤蓋開閉装置１３によれば、鍵盤部７が設けられた楽器ケース１と、鍵盤部７に対する前後方向の長さが互いに異なる前蓋１５と後蓋１６とが連結部材１７によって折り曲げ可能に連結されて、鍵盤部７を開閉可能に覆う鍵盤蓋１４と、後蓋１６の後端部を楽器ケース１に回転可能に支持し、鍵盤蓋１４が鍵盤部７を開放した際に、鍵盤蓋１４を折り曲げて前蓋１５を鍵盤部７の後部上方に起立させる回転支点部１８と、前蓋１５の前端部を鍵盤部７の前後方向にガイドするガイド部１９と、を備えていることにより、鍵盤蓋１４を安定した状態で円滑に開閉することができる。
【００３６】
すなわち、この鍵盤楽器の鍵盤蓋開閉装置１３では、鍵盤蓋１４を開閉する際に、後蓋１６の後端部を回転支点部１８で支持した状態で、この回転支点部１８を中心に後蓋１６を回転させることができるので、この後蓋１６の回転によって前蓋１５の前端部をガイド部１９でガイドしながら前蓋１５を鍵盤部７に対して起立させることができる。このため、鍵盤部７に対する前蓋１５と後蓋１６との前後方向の長さが互いに異なっていても、鍵盤蓋１４を安定した状態で円滑に開閉することができると共に、鍵盤蓋１４を楽器ケース１内に収納する必要がないので、楽器ケース１のコンパクト化を図ることができる。
【００３７】
例えば、鍵盤蓋１４を開いて鍵盤部７を開放する際には、前蓋１５の前端下部に手を掛けて前蓋１５を押し上げながら鍵盤部７の後方に向けて押すことにより、前蓋１５のガイド突起部１５ａをガイド部１９に沿って鍵盤部７の後部側に向けて移動させると共に、回転支点部１８を中心に後蓋１６の後端部を時計回りに回転させることができるので、連結部材１７を中心に前蓋１５と後蓋１６とを回転させて、鍵盤蓋１４を確実にかつ良好に折り曲げることができる。
【００３８】
これにより、前蓋１５のガイド突起部１５ａをガイド部１９の後端部に位置させて支持すると共に、後蓋１６の後端部を回転支点部１８によって起立させることができるので、前蓋１５と後蓋１６とを互いに接近させて対面させた状態で、前蓋１５のガイド突起部１５ａをガイド部１９の後端部に支持して、前蓋１５を鍵盤部７の後部上方に鍵盤部７に対してほぼ垂直な状態で起立させることができる。
【００３９】
このため、鍵盤蓋１４を鍵盤部７の後端部上に折り曲げて安定した状態で起立させることができるので、鍵盤部７を楽器ケース１の前側に露出させて状態で良好に開放することができ、この状態で鍵盤部７の複数の鍵８を押鍵操作して演奏することができる。この場合には、鍵盤部７を楽器ケース１内に収納する必要がないので、楽器ケース１をコンパクトに構成することができる。
【００４０】
また、鍵盤部７の複数の鍵８を押鍵操作して演奏する際には、前蓋１５が鍵盤部７の後部上方にほぼ垂直な状態で鍵盤部７に対して起立していることにより、この前蓋１５のガイド突起部１５ａを前蓋１５によって隠すことができると共に、連結部材１７が外部から見えないように隠すことができる。これにより、外観的にもデザイン的に好ましいものを提供することができるほか、鍵盤部７に対して起立した状態の前蓋１５に演奏者の手や指が映り込み、この映り込みによって高級感のあるものを提供することができる。
【００４１】
この場合、前蓋１５は、その前後方向の長さが後蓋１６の前後方向の長さよりも長く形成されていることにより、前蓋１５が鍵盤部７の後部上方に鍵盤部７に対してほぼ垂直な状態で起立した際に、この前蓋１５によって後蓋１６および回転支点部１８を確実にかつ良好に隠すことができ、これにより外観的にもデザイン的に好ましいものを提供することができる。
【００４２】
また、回転支点部１８は、鍵盤蓋１４が折り曲げられて鍵盤部７を開放した際に、前蓋１５の前端部の位置よりも高い位置であって、鍵盤蓋１４が鍵盤部７を開放した際に、溝であるガイド部１９に挿入されているガイド突起部１５ａと接触しない位置に設けられていることにより、前蓋１５が鍵盤部７の後部上方に鍵盤部７に対してほぼ垂直な状態で起立した際に、前蓋１５の前端部を回転支点部１８の下側に位置させることができるので、前蓋１５によって回転支点部１８を隠すことができるほか、回転支点部１８で支持している後蓋１６によって前蓋１５を吊り上げた状態で支持することができるので、前蓋１５を安定した状態で良好に起立させることができる。
【００４３】
本実施形態においては、一対の側板５夫々に埋め込まれた鍵盤蓋支持部５ｃに軸部１８ａと、ガイド部１９を設けているが、側板５に直接軸部１８ａと、ガイド部１９を設けてもよい。
【００４４】
（第２実施形態）
次に、図３〜図５を参照して、この発明を鍵盤楽器に適用した第２実施形態について説明する。なお、図１および図２に示された第１実施形態と同一部分には同一符号を付して説明する。
この鍵盤楽器の鍵盤蓋開閉装置２０は、図３および図４に示すように、前蓋１５と後蓋１６とを折り曲げる方向に付勢するばね部材２１、および前蓋１５の前端部を制動する第１、第２の各制動部２２、２３を備えた構成であり、これ以外は第１実施形態とほぼ同じ構成になっている。
【００４５】
ばね部材２１は、図３および図４に示すように、引張コイルばねであり、その一端部２１ａが前蓋１５の前部下面に取り付けられ、他端部２１ｂが後蓋１６の前部下面に取り付けられた構成になっている。これにより、ばね部材２１は、前蓋１５と後蓋１６とを互いに引き寄せて折り曲げる方向に付勢するように構成されている。この場合、前蓋１５の下面（図４では右側面）と後蓋１６の下面（図４では左側面）には、それぞればね部材２１を収納するばね収納溝２４が設けられている。
【００４６】
このため、このばね部材２１は、図３および図４に示すように、鍵盤蓋１４を開いて鍵盤部７を開放する際に、ばね部材２１のばね力によって鍵盤蓋１４を軽い力で山折に折り曲げるように構成されている。また、このばね部材２１は、折り曲げられて起立した鍵盤蓋１４を展開させて閉じる際に、ばね部材２１のばね力によって前蓋１５が急激に閉じるのを防ぐように構成されている。
【００４７】
第１の制動部２２は、図３および図４に示すように、ねじりコイルばねであり、そのコイル部が鍵盤部７の前部側に位置する楽器ケース１の側板５の内面に設けられた支持突起部２５に取り付けられ、この状態で一端部２２ａが側板５の内面に取り付けられ、他端部２２ｂが前蓋１５のガイド突起部１５ａの移動軌跡上におけるガイド部１９の前端部の上側に位置し、この他端部２２ｂがガイド部１９の前端部の上側と下部との間で弾性的に変位するように構成されている。
【００４８】
これにより、第１の制動部２２は、図３に示すように、鍵盤蓋１４が鍵盤部７を覆って閉じる際に、前蓋１５の前端部に設けられたガイド突起部１５ａが第１の制動部２２の他端部２２ｂに弾接すると、この他端部２２ｂが前蓋１５のガイド突起部１５ａの移動軌跡上におけるガイド部１９の前端部の上側がら下部に向けて弾力的に変位することにより、前蓋１５がゆっくり閉じるように前蓋１５の閉動作を制動するように構成されている。
【００４９】
また、この第１の制動部２２は、図３に示すように、前蓋１５を押し上げて鍵盤部７の後方に移動させて鍵盤蓋１４を開く際に、前蓋１５のガイド突起部１５ａが第１の制動部２２の他端部２２ｂによって弾力的に押し上げられていることにより、軽い力で前蓋１５の移動を開始させるように構成されている。
【００５０】
一方、第２の制動部２３は、図４および図５に示すように、ねじりコイルばねであり、そのコイル部が鍵盤部７の後端部に位置する楽器ケース１の側板５の内面に設けられた支持突起部２６に取り付けられ、この状態で一端部２３ａが側板５の内面に取り付けられ、他端部２３ｂがガイド部１９の後端部における前蓋１５のガイド突起部１５ａの移動軌跡上に弾力的に出没可能に突出するように構成されている。
【００５１】
この場合、第２の制動部２３の他端部２３ｂは、図４および図５に示すように、ガイド部１９の前側（図５では左側）に向けて斜め上方に傾斜した状態で、ガイド部１９の後端部における前蓋１５のガイド突起部１５ａの移動軌跡上に弾力的に出没可能に突出するように構成されている。
【００５２】
これにより、第２の制動部２３は、図４および図５に示すように、鍵盤蓋１４が鍵盤部７を開放させて開く際に、前蓋１５のガイド突起部１５ａが第２の制動部２３の他端部２３ｂに弾接すると、この他端部２３ｂがガイド部１９の後端部における前蓋１５のガイド突起部１５ａの移動軌跡上から押し出される方向に向けて弾力的に変位することにより、前蓋１５の移動を急激に重くするように前蓋１５の閉動作を制動するように構成されている。
【００５３】
この場合、第２の制動部２３は、図４および図５に示すように、その他端部２３ｂに前蓋１５のガイド突起部１５ａがガイド部１９の前側（図５では左側面）から後側（図５では右側面）に移動して、他端部２３ｂをガイド突起部１５ａの移動軌跡上から押し出す方向に向けて弾力的に変位させて、ガイド突起部１５ａが他端部２３ｂを乗り越えることにより、ガイド突起部１５ａにクリック感を付与するように構成されている。
【００５４】
すなわち、この第２の制動部２３は、図４および図５に示すように、前蓋１５のガイド突起部１５ａがガイド部１９の前側から後側に移動して第２の制動部２３の他端部２３ｂの先端部に当接すると、前蓋１５の移動を急激に重くして、第２の制動部２３の他端部２３ｂを弾性変位させて乗り越えると、前蓋１５の移動を急激に軽くすることにより、ガイド突起部１５ａにクリック感を付与するように構成されている。
【００５５】
また、この第２の制動部２３は、図４および図５に示すように、その他端部２３ｂを前蓋１５のガイド突起部１５ａが乗り越えた際に、他端部２３ｂが弾性復帰してガイド突起部１５ａの移動軌跡上に突出することにより、前蓋１５のガイド突起部１５ａがガイド部１９の前側（図５では左側）に向けて不用意に移動しないように構成されている。
【００５６】
さらに、この第２の制動部２３は、図４および図５に示すように、鍵盤部７の後部上側に前蓋１５を前側に移動させて鍵盤蓋１４を閉じる際に、第２の制動部２３の他端部２３ｂの傾斜に沿って前蓋１５のガイド突起部１５ａが移動するので、このガイド突起部１５ａが軽い力で他端部２３ｂを弾性変位させて乗り越えることにより、前蓋１５のガイド突起部１５ａが他端部２３ｂを通過するように構成されている。
【００５７】
ところで、この鍵盤蓋開閉装置２０は、図３および図４に示すように、鍵盤蓋１４が鍵盤部７を開放して開いた際に、前蓋１５のガイド突起部１５ａを係脱可能に係止してロックするロック部２７を備えている。このロック部２７は、ガイド部１９の後端部に位置する楽器ケース１の側板５の内面に取り付けられた本体部２７ａと、この本体部２７ａ内に出没可能に取り付けて前蓋１５のガイド突起部１５ａを係脱可能に係止するキャッチ部２７ｂとを備えている。
【００５８】
すなわち、このロック部２７は、図４および図５に示すように、前蓋１５のガイド突起部１５ａが第２の制動部２３の他端部２３ｂを乗り越えて、鍵盤蓋１４が鍵盤部７を開放して開いた際に、キャッチ部２７ｂが前蓋１５のガイド突起部１５ａをキャッチして係止することにより、前蓋１５を鍵盤部７の後部上側に起立させた状態でロックするように構成されている。
【００５９】
また、このロック部２７は、図４に示すように、キャッチ部２７ｂが前蓋１５のガイド突起部１５ａをキャッチして係止した状態で、前蓋１５を前側に移動させて鍵盤蓋１４を閉じる際に、前蓋１５を、一度、鍵盤部７の後方に向けて押すことにより、キャッチ部２７ｂによる前蓋１５のガイド突起部１５ａの係止を解除して、キャッチ部２７ｂから前蓋１５のガイド突起部１５ａを離脱させるように構成されている。
【００６０】
このような鍵盤楽器の鍵盤蓋開閉装置２０によれば、第１実施形態と同様の作用効果があるほか、前蓋１５と後蓋１６とを互いに引き寄せて折り曲げる方向に付勢するばね部材２１を備えていることにより、鍵盤蓋１４を開いて鍵盤部７を開放する際に、ばね部材２１のばね力によって鍵盤蓋１４を軽い力で折り曲げることができる。
【００６１】
また、この鍵盤蓋開閉装置２０では、鍵盤蓋１４が折れ曲がって鍵盤部７を開放した状態のときに、ばね部材２１のばね力によって前蓋１５が不用意に閉じるのを防ぐことができる。また、折り曲げられて起立した鍵盤蓋１４を展開させて閉じる際に、ばね部材２１のばね力によって前蓋１５が急激に閉じるのを防ぐことができ、これにより鍵盤蓋１４を安全に開閉することができると共に、鍵盤蓋１４の開閉操作性を向上させることができる。
【００６２】
また、この鍵盤蓋開閉装置２０では、鍵盤蓋１４が鍵盤部７を覆って閉じる際に、前蓋１５の前端部を弾力的に制動する第１の制動部２２を備えているので、鍵盤蓋１４が鍵盤部７を覆って閉じる際に、第１の制動部２２によって前蓋１５がゆっくり閉じるように前蓋１５の閉じる動作を制動することができる。
【００６３】
これにより、この鍵盤蓋開閉装置２０では、鍵盤蓋１４が鍵盤部７を覆って閉じる際に、手や指を挟むことがなく、安全に鍵盤蓋１４を閉じることができると共に、異音の発生を防ぐことができる。また、鍵盤蓋１４を開いて鍵盤部７を開放する際には、第１の制動部２２によって軽い力で前蓋１５の移動を開始させることができる。
【００６４】
この場合、第１の制動部２２は、ねじりコイルばねのコイル部が楽器ケース１の側板５に設けられた支持突起部２５に取り付けられ、この状態で一端部２２ａが側板５に取り付けられて固定され、他端部２２ｂが前蓋１５のガイド突起部１５ａの移動軌跡上におけるガイド部１９の前端部に位置し、この他端部２２ｂがガイド部１９の前端部の上側と下部との間で弾性的に変位する構成であるから、前蓋１５を確実に制動することができる。
【００６５】
すなわち、この第１の制動部２２は、鍵盤蓋１４が鍵盤部７を覆って閉じる際に、前蓋１５のガイド突起部１５ａが第１の制動部２２の他端部２２ｂに弾接すると、この他端部２２ｂがガイド突起部１５ａの移動軌跡上におけるガイド部１９の前端部の上側がら下部に向けて弾力的に変位することにより、前蓋１５をゆっくり閉じるように前蓋１５の閉動作を制動することができる。
【００６６】
また、この第１の制動部２２は、前蓋１５を押し上げて鍵盤部７の後方に移動させて鍵盤蓋１４を開く際に、前蓋１５のガイド突起部１５ａを第１の制動部２２における他端部２２ｂの弾性復帰力と共に前蓋１５を押し上げることができるので、軽い力で前蓋１５を押し上げて移動させることができ、これにより鍵盤蓋１４の開閉操作性を向上させることができる。
【００６７】
また、この鍵盤蓋開閉装置２０では、鍵盤蓋１４が鍵盤部７を開放して開く際に、前蓋１５の前端部を弾力的に制動する第２の制動部２３を備えていることにより、鍵盤蓋１４が開いて鍵盤部７を開放する際に、第２の制動部２３によって前蓋１５の移動を重くするように前蓋１５の開動作を制動することができ、また鍵盤蓋１４を閉じて鍵盤部７を覆う際に、第２の制動部２２によって前蓋１５が不用意に閉じるのを防ぐように前蓋１５の閉動作を制動することができる。
【００６８】
この場合、第２の制動部２３は、ねじりコイルばねのコイル部が楽器ケース１の側板５に設けられた支持突起部２６に取り付けられ、この状態で一端部２３ａが側板５に取り付けられて固定され、他端部２３ｂがガイド部１９の後端部における前蓋１５のガイド突起部１５ａの移動軌跡上に、ガイド部１９の前側に向けて斜め上方に傾斜した状態で、弾力的に出没可能に突出する構成であるから、前蓋１５の動きを確実に制動することができる。
【００６９】
すなわち、この第２の制動部２３は、鍵盤蓋１４が鍵盤部７を開放させて開く際に、前蓋１５のガイド突起部１５ａが第２の制動部２３の他端部２３ｂに弾接すると、この他端部２３ｂがガイド突起部１５ａの移動軌跡上から押し出される方向に向けて弾力的に変位することにより、前蓋１５の動きを重くするように前蓋１５の閉動作を制動することができる。
【００７０】
この場合、第２の制動部２３は、その他端部２３ｂがガイド部１９の前側に向けて斜め上方に傾斜しているので、前蓋１５のガイド突起部１５ａが他端部２３ｂをガイド突起部１５ａの移動軌跡上から押し出す方向に向けて弾性変位させて乗り越えることにより、ガイド突起部１５ａにクリック感を付与することができる。
【００７１】
すなわち、この第２の制動部２３では、その他端部２３ｂをガイド突起部１５ａが弾性変位させて乗り越える際に、ガイド突起部１５ａが他端部２３ｂに当接して、前蓋１５の動きを急激に重くし、ガイド突起部１５ａが他端部２３ｂを乗り越えると、前蓋１５の動きを急激に軽くすることができ、これによりガイド突起部１５ａにクリック感を付与することができるので、前蓋１５のガイド突起部１５ａが第２の制動部２３の他端部２３ｂを乗り越えたことを確認することができる。
【００７２】
また、この第２の制動部２３は、その他端部２３ｂを前蓋１５のガイド突起部１５ａが乗り越えた際に、他端部２３ｂが弾性復帰してガイド突起部１５ａの移動軌跡上に突出することにより、弾性復帰した突出した他端部２３ｂによって前蓋１５のガイド突起部１５ａがガイド部１９の前側に向けて不用意に移動するのを阻止することができ、これにより前蓋１５を安全に起立させた状態を維持することができる。
【００７３】
さらに、この第２の制動部２３は、鍵盤部７の後部上側に前蓋１５を前側に移動させて鍵盤蓋１４を閉じる際に、第２の制動部２３の他端部２３ｂがガイド部１９の前側に向けて斜め上方に傾斜した状態で、ガイド部１９の後端部におけるガイド突起部１５ａの移動軌跡上に弾力的に突出しているので、この他端部２３ｂの傾斜に沿ってガイド突起部１５ａを移動させることができ、これにより他端部２３ｂを容易に弾性変位させることができるので、ガイド突起部１５ａを良好に乗り越えさせることができる。
【００７４】
また、この鍵盤蓋開閉装置２０では、鍵盤蓋１４が鍵盤部７を開放して開いた際に、前蓋１５の前端部を係脱可能に係止するロック部２７を備えていることにより、鍵盤蓋１４が鍵盤部７を開放して開いた際に、ロック部２７によって前蓋１５を鍵盤部７の後部上側に起立させた状態で、前蓋１５の前端部をロックすることができるので、安全に前蓋１５を鍵盤部７の後部上側に起立させた状態で維持することができる。
【００７５】
この場合、ロック部２７は、ガイド部１９の後端部に位置する楽器ケース１の側板５の内面に取り付けられた本体部２７ａと、この本体部２７ａ内に出没可能に取り付けて前蓋１５のガイド突起部１５ａを係脱可能に係止するキャッチ部２７ｂとを備えているので、前蓋１５のガイド突起部１５ａをキャッチ部２７ｂで係止してロックすることができ、これにより安全に前蓋１５を鍵盤部７の後部上側に起立させた状態で維持することができる。
【００７６】
すなわち、このロック部２７は、前蓋１５のガイド突起部１５ａが第２の制動部２３の他端部２３ｂを乗り越えて、鍵盤蓋１４が鍵盤部７を開放して開いた際に、キャッチ部２７ｂが前蓋１５のガイド突起部１５ａをキャッチして係止することができるので、前蓋１５を鍵盤部７の後部上側に起立させた状態で確実にロックすることができる。
【００７７】
また、このロック部２７は、キャッチ部２７ｂが前蓋１５のガイド突起部１５ａをキャッチして係止した状態で、前蓋１５を前側に移動させて鍵盤蓋１４を閉じる際に、前蓋１５を、一度、鍵盤部７の後方に向けて押すことにより、キャッチ部２７ｂによる前蓋１５のガイド突起部１５ａの係止を解除することができるので、簡単な操作で、キャッチ部２７ｂから前蓋１５のガイド突起部１５ａを容易に離脱させることができる。
【００７８】
なお、上述した第２実施形態では、前蓋１５と後蓋１６とを互いに引き寄せて山折に折り曲げる方向に付勢する付勢部材として、引張コイルばねからなるばね部材２１を用いた場合について述べたが、これに限らず、ねじりコイルばねを用いても良く、またゴム紐などの弾性を有する線材を用いても良い。
【００７９】
また、上述した第２実施形態では、前蓋１５の前端部を制動する第１、第２の各制動部２２、２３として、ねじりコイルばねを用いた場合について述べたが、これに限らず、ゴムやクッション材などの弾性部材を用いても良い。
【００８０】
さらに、上述した第２実施形態では、ロック部２７が本体部２４ａとキャッチ部２４ｂとを有し、キャッチ部２４ｂで前蓋１５のガイド突起部１５ａをキャッチして係止する構成である場合について述べたが、これに限らず、ロック部として磁石を用い、この磁石で前蓋１５のガイド突起部１５ａを磁力で吸着するように構成しても良い。この場合には、前蓋１５のガイド突起部１５ａを、磁性材を含む金属で形成すれば良い。
【００８１】
（第３実施形態）
次に、図６を参照して、この発明を鍵盤楽器に適用した第３実施形態について説明する。この場合にも、図１および図２に示された第１実施形態と同一部分には同一符号を付して説明する。
この鍵盤楽器は、図６に示すように、第１のスピーカ３１および第２のスピーカ３２を備えた構成であり、これ以外は第１実施形態とほぼ同じ構成になっている。
【００８２】
第１のスピーカ３１は、フルレンジのスピーカであり、図６に示すように、楽器ケース１の底板２に取り付けられている。すなわち、この第１のスピーカ３１は、鍵盤部７の後方に位置する個所、つまりアクション機構部１０の下側に位置する底板２の下面に、上向き状態で取り付けられている。この場合、底板２には、放音用の貫通孔２ａが、第１のスピーカ３１に対応して設けられている。
【００８３】
また、この底板２の下面には、図６に示すように、第１のスピーカ３１を収納するスピーカボックス３３が取り付けられている。これにより、第１のスピーカ３１は、高音側の音が底板２の貫通孔２ａを通して楽器ケース１内に放音され、低音側の音がスピーカボックス３３から楽器ケース１の下側に放音されるように構成されている。
【００８４】
また、第２のスピーカ３２は、ツィータやウーハなどのスピーカであり、図６に示すように、鍵盤部７とアクション機構部１０とを仕切る仕切部材１２の上前板１２ｂの内面に取り付けられている。すなわち、この第２のスピーカ３２は、楽器ケース１内におけるアクション機構部１０の前部上方に位置し、この状態で取付板３２ａによって斜め前側上方に向けて取り付けられている。
【００８５】
この場合、第２のスピーカ３２の前側斜め上方に位置する仕切部材１２の上前板１２ｂの個所には、図６に示すように、第１の放音孔３４が設けられている。この第１の放音孔３４は、鍵盤蓋１４が山折に折り曲げられて鍵盤部７の後部上方に起立した際に、第１の放音孔３４の上部が、起立した鍵盤蓋１４の上部よりも上側に位置した状態で設けられている。
【００８６】
これにより、第１の放音孔３４は、図６に示すように、第１のスピーカ３１から楽器ケース１内に放音されてアクション機構部１０を通過した高音側の音を楽器ケース１の前側外部に放音すると共に、第２のスピーカ３２から放音された音をそのまま楽器ケース１の前側外部に放音するように構成されている。
【００８７】
また、天板６の後部側には、第１実施形態と同様、放音蓋６ａが開閉可能に設けられている。この放音蓋６ａの下側には、補助天板９が設けられている。この補助天板９には、放音孔９ａ（この第３実施形態では第２の放音孔９ａと称す）が上下に貫通して設けられている。この場合、第２の放音蓋６ａは、その後端部が蝶番６ｂによって後板４の上端部に回転可能に取り付けられ、この蝶番６ｂを中心に上下方向に回転して補助天板９の第２の放音孔９ａを開閉するように構成されている。
【００８８】
これにより、第２の放音孔９ａは、図６に示すように、放音蓋６ａを上方に回転させて前上りに傾斜させた際に、開放され、この状態で第１のスピーカ３１から楽器ケース１内に放音されてアクション機構部１０を通過した高音側の音を楽器ケース１の上側に放音させ、この放音した音が放音蓋６ａで楽器ケース１の前側に向けて反響されるように構成されている。
【００８９】
このような鍵盤楽器によれば、第１実施形態と同様の作用効果があるほか、鍵盤蓋１４を鍵盤部７の後部上側に起立させて折り畳んで鍵盤部７を開放させた状態で、鍵盤部７の複数の鍵８を押鍵操作して演奏する際に、第１のスピーカ３１および第２のスピーカ３２で演奏に応じた楽音を良好に発生させることができる。
【００９０】
この場合、この鍵盤楽器では、第１のスピーカ３１で発生した楽音のうち、低音側の音をスピーカボックス３３から楽器ケース１の下側に向けて良好に放音することができる。また、この鍵盤楽器では、第１のスピーカ３１で発生した楽音のうち、高音側の音を底板２の貫通孔２ａから楽器ケース１内に確実に放音することができ、この楽器ケース１内に放音された高音側の音を仕切部材１２の上前板１２ｂに設けられた第１の放音孔３４から楽器ケース１の前側に向けて良好に放音することができる。
【００９１】
すなわち、この鍵盤楽器では、楽器ケース１内に放音された第１のスピーカ３１の高音側の音がアクション機構部１０内を通過することにより、この通過した高音側の音を仕切部材１２の上前板１２ｂに設けられた第１の放音孔３４から楽器ケース１の前側に放音すると共に、起立した状態の鍵盤蓋１４と天板６との間を通して楽器ケース１の更に前側に向けて良好に放音することができる。
【００９２】
この場合、天板６の放音蓋６ａが開いて第２の放音孔９ａを開放させた場合には、楽器ケース１内に放音された第１のスピーカ３１の高音側の音がアクション機構部１０を通過して第１の放音孔３４から楽器ケース１の前側に向けて放音されるときに、アクション機構部１０を通過した高音側の音の一部を第２の放音孔９ａから楽器ケース１の上側に放音させることができると共に、この放音された高音側の音を放音蓋６ａで楽器ケース１の前側に向けて良好に反響させることができる。
【００９３】
また、この鍵盤楽器では、第２のスピーカ３２で発生した楽音を仕切部材１２の上前板１２ｂの第１の放音孔３４から楽器ケース１の前側に向けて放音することができると共に、この放音された音を起立した状態の鍵盤蓋１４と天板６との間から楽器ケース１の更に前側に向けて良好に放音することができる。これにより、この鍵盤楽器では、第１のスピーカ３１と第２のスピーカ３２とで発生した楽音を良好に楽器ケース１の前側に向けて放音させることができる。
【００９４】
なお、上述した第３実施形態においても、第２実施形態と同様、前蓋１５と後蓋１６とを折り曲げる方向に付勢するばね部材２１と、前蓋１５の前端部を制動する第１、第２の各制動部２２、２３と、前蓋１５のガイド突起部１５ａをロックするロック部２７と、を備えた構成であっても良い。
【００９５】
また、上述した第３実施形態では、第１のスピーカ３１を楽器ケース１の底板２の下面に上向き状態で設けた場合について述べたが、これに限らず、例えば底板２の下面に下向きに設けても良く、また楽器ケース１の内部に第１のスピーカ３１を設けても良い。この場合には、楽器ケース１内における底板２の上面に第１のスピーカ３１を上向きまたは下向きに設けても良く、また楽器ケース１内における天板６の下面に第１のスピーカ３１を上向きまたは下向きに設けても良い。
【００９６】
また、上述した第１〜第３の各実施形態では、鍵盤部７の後方に位置する楽器ケース１内にアクション機構部１０を設けた場合について述べたが、これに限らず、鍵盤部７の複数の鍵８それぞれアクション荷重を付与するハンマー部材を設けた構成でも良く、また必ずしもアクション機構部１０やハンマー部材を備えている必要はない。
【００９７】
また、上述した第１〜第３の各実施形態では、鍵盤蓋１４は、前蓋１５と後蓋１６とが連結部材で少し山折に折れ曲がった状態で鍵盤部７を覆うように構成されている。これはなっている方が鍵盤蓋１４を持ち上げるだけで容易に曲がり始めるため、鍵盤蓋１４を開放する操作がやりやすいためであり、この前蓋１５と後蓋１６と平坦にした状態で鍵盤部７を覆うように構成してもよい。
【００９８】
ただし、このように前蓋１５と後蓋１６を平坦にすると、折れ曲がった状態と比べて鍵盤蓋１４の開放がやりにくくなる可能性が出てくるため、前蓋１５の後端部と後蓋１６の前端部との間にばね等を設けて、鍵盤蓋１４を持ち上げるきっかけを作るようにしてもよい。
【００９９】
また、図７に示すように、前蓋１５の表面に譜面受け部１５ａを設けることも可能である。鍵盤部７を開放して前蓋１５が鍵盤部７の後部上方に鍵盤部７に対してほぼ垂直な状態で起立させた状態で、この譜面受け部１５ａに譜面を立てれば、譜面を演奏者の視界の中心におくことができる。
【０１００】
さらに、上述した第１〜第３の各実施形態では、回転支点部１８が軸部１８ａと軸受部１８ｂとで構成されている場合について述べたが、これに限らず、鍵盤蓋１４が閉じて鍵盤部７を覆う閉動作のときに負荷を付与するダンパー機構を回転支点部１８に設けた構成であっても良い。
【０１０１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０２】
（付記）
請求項１に記載の発明は、鍵盤部と、前記鍵盤部が設けられた楽器ケースと、前蓋と後蓋とが連結部材によって折り曲げ可能に連結され、前記前蓋及び後蓋を折り曲げた状態で前記鍵盤部を開放する鍵盤蓋と、前記鍵盤部の上方に設けられ、前記鍵盤蓋が前記鍵盤部を開放した際に、前記後蓋の前端部を、当該後蓋の後端部より上方にするとともに、当該後蓋を、開放する前と比べて前記鍵盤部の後部に位置させるように、前記後蓋の後端部を回転させる回転支点部と、前記鍵盤蓋が前記鍵盤部を開放した際に、前記前蓋の前端部を前記回転支点部の下方へガイドすることにより、前記前蓋の後端部を当該前蓋の前端部よりを上方にするとともに、当該前蓋を、開放する前と比べて前記鍵盤部の後部に位置させるガイド部と、を備えている鍵盤楽器である。
【０１０３】
請求項２に記載の発明は、請求項１に記載の鍵盤楽器において、前記回転支点部は、前記鍵盤部の後部上方に設けられ、前記鍵盤蓋が前記鍵盤部を開放した際に、前記後蓋の前端部を、当該後蓋の後端部より上方にして当該後蓋を前記鍵盤部の後部に起立させるように、前記後蓋の後端部を回転させる、鍵盤楽器である。
【０１０４】
請求項３に記載の発明は、請求項１又は２に記載の鍵盤楽器において、前記ガイド部は、前記前蓋の後端部を当該前蓋の前端部よりを上方にして当該前蓋を前記鍵盤部の後部に起立させる、鍵盤楽器である。
【０１０５】
請求項４に記載の発明は、請求項１に記載の鍵盤楽器において、前記楽器ケースは、底板と、前記底板の両側部に起立して設けられた一対の側板と、前記鍵盤部後端部上を覆うカバー板とを有する鍵盤楽器である。
【０１０６】
請求項５に記載の発明は、請求項４に記載の鍵盤楽器において、前記ガイド部は、前記前蓋の前端下部に設けられたガイド突起部が挿入して前記鍵盤部の前後方向にガイドするために、前記一対の側板の各内面に設けられた溝部である鍵盤楽器である。
【０１０７】
請求項６に記載の発明は、請求項５に記載の鍵盤楽器において、前記溝部は、前記鍵盤部の前端部から前記鍵盤部の上側に沿って前記カバー板の上方まで連続して設けられるとともに、当該カバー板側の端部は下降した形状を有する鍵盤楽器である。
【０１０８】
請求項７に記載の発明は、請求項６に記載の鍵盤楽器において、前記鍵盤蓋が前記鍵盤部を開放した際に、起立した前記前蓋の後端部に対して、前記回転支点部により起立していく前記後蓋の前端部から加重が加えられることにより、前記ガイド突起部は、前記溝部の前記カバー板側の端部にて移動を停止する鍵盤楽器である。
【０１０９】
請求項８に記載の発明は、請求項４に記載の鍵盤楽器において、前記回転支点部は、前記カバー板の上方でかつ前記一対の側板間に設けられた軸部と、前記後蓋の後端上部に設けられた筒状の軸受部とを備え、当該軸部が前記軸受部に挿入された状態で前記軸部を中心に前記後蓋が上下方向に回転するように構成される鍵盤楽器である。
【０１１０】
請求項９に記載の発明は、請求項８に記載の鍵盤楽器において、前記前蓋は、その前後方向の長さが前記後蓋の前後方向の長さよりも長く形成されている鍵盤楽器である。
【０１１１】
請求項１０に記載の発明は、請求項９に記載の鍵盤楽器において、前記回転支点部の軸部は、前記カバー板上方に設けられている前記溝部より高い位置に設けられている鍵盤楽器である。
【０１１２】
請求項１１に記載の発明は、請求項１０に記載の鍵盤楽器において、前記回転支点部の軸部は、前記溝部より高い位置であって、前記鍵盤蓋が前記鍵盤部を開放した際に、前記溝部に挿入されているガイド突起部と接触しない位置に設けられている鍵盤楽器である。
【０１１３】
請求項１２に記載の発明は、請求項１に記載の鍵盤楽器において、前記鍵盤部に対する押鍵に応答して楽音を発生させる信号を出力する回路部をさらに有する鍵盤楽器である。
【０１１４】
請求項１３に記載の発明は、請求項１に記載の鍵盤楽器において、前記前蓋及び前記後蓋の前記鍵盤部側の面同士を近づけるように折り曲げる方向に付勢する付勢部材をさらに有する鍵盤楽器である。
【０１１５】
請求項１４に記載の発明は、請求項１３に記載の鍵盤楽器において、前記鍵盤蓋が前記鍵盤部を覆って閉じる際に前記前蓋の前端部を弾力的に制動する第１の制動部と、前記鍵盤蓋が前記鍵盤部を開放して開く際に前記前蓋の前端部を弾力的に制動する第２の制動部と、を備えている鍵盤楽器である。
【０１１６】
請求項１５に記載の発明は、請求項１３に記載の鍵盤楽器において、前記鍵盤蓋が前記鍵盤部を開放して開いた際に前記前蓋の前端部を係脱可能に係止するロック部を備えている鍵盤楽器である。
【０１１７】
請求項１６に記載の発明は、請求項１に記載の鍵盤楽器において、前記前板の表面に譜面受け部を設けた鍵盤楽器である。
【０１１８】
請求項１７に記載の発明は、鍵盤部が設けられた楽器ケースと、前蓋と後蓋とが連結部材によって折り曲げ可能に連結され、前記前蓋及び後蓋を折り曲げた状態で前記鍵盤部を開放する鍵盤蓋と、前記鍵盤部の上方に設けられ、前記鍵盤蓋が前記鍵盤部を開放した際に、前記後蓋の前端部を当該後蓋の後端部より上方にするとともに、当該後蓋を、開放する前と比べて前記鍵盤部の後部に位置させるように、前記後蓋の後端部を回転させる回転支点部と、前記鍵盤蓋が前記鍵盤部を開放した際に、前記前蓋の前端部を前記回転支点部の下方へガイドすることにより、前記前蓋の後端部を当該前蓋の前端部より上方にするとともに、当該前蓋を、開放する前と比べて前記鍵盤部の後部に位置させるガイド部と、を備えている鍵盤蓋開閉装置である。
【０１１９】
請求項１７に記載の発明は、操作部が設けられたケースと、前蓋と後蓋とが連結部材によって折り曲げ可能に連結され、前記前蓋及び後蓋を折り曲げた状態で前記操作部を開放する蓋と、前記操作部の上方に設けられ、前記操作部を開放する際に、前記後蓋の前端部を当該後蓋の後端部より上方にするとともに、当該後蓋を、開放する前と比べて前記操作部の後部に位置させるように、前記後蓋の後端部を回転させる回転支点部と、前記前蓋の前端部を前記回転支点部の下方へガイドすることにより、前記前蓋の後端部を当該前蓋の前端部より上方にするとともに、当該前蓋を、開放する前と比べて前記操作部の後部に位置させるようにして前記操作部を開放するガイド部と、を備えている蓋開閉装置である。
【符号の説明】
【０１２０】
１  楽器ケース
７  鍵盤部
８  鍵
１０  アクション機構部
１２  仕切部材
１３、２０  鍵盤蓋開閉装置
１４  鍵盤蓋
１５  前蓋
１６  後蓋
１７  連結部材
１８  回転支点部
１９  ガイド部
２１  ばね部材
２２  第１の制動部
２３  第２の制動部
２７  ロック部
３１  第１のスピーカ
３２  第２のスピーカ
【図１】
2015143841.tif 000003
【図２】
2015143841.tif 000004
【図３】
2015143841.tif 000005
【図４】
2015143841.tif 000006
【図５】
2015143841.tif 000007
【図６】
2015143841.tif 000008
【図７】
2015143841.tif 000009
【図８】
2015143841.tif 000010